(57)【要約】【課題】  カウルカバーおよびカウルトップエクステンションパネルを含む車体前部構造において、カウルカバーとカウルトップエクステンションパネルとの結合部構造によるフロントガラス位置の規制を緩和する。【解決手段】  カウルカバー１に、下方に伸びる垂下壁部１ｄと、垂下壁部１ｄの下端部から前方かつ上方に伸びる起立壁部１ｅと、を設ける一方、カウルトップエクステンションパネル２の前部に縦壁部２ａを形成して、縦壁部２ａの後方に起立壁部１ｅを隣接配置して、これら縦壁部２ａと起立壁部１ｅとをクリップ９で結合した。【選択図】      図１
2006248405.tif 000002
【特許請求の範囲】
【請求項１】
フロントガラスの前方に配置され、その後端部で当該フロントガラスを支持するカウルカバーと、カウルカバーの下方に配置され、その前部でカウルカバーと結合されるカウルトップエクステンションパネルと、を備える車体前部構造において、
カウルカバーに、下方に伸びる垂下壁部を設ける一方、カウルトップエクステンションパネルの前部に縦壁部を形成して、
これら垂下壁部と縦壁部とをクリップで結合したことを特徴とする車体前部構造。
【請求項２】
前記カウルカバーの垂下壁部には、当該垂下壁部の下端部から前方かつ上方に伸びる起立壁部を設け、
前記縦壁部の後方に前記起立壁部を隣接配置して、前記縦壁部と起立壁部とをクリップで結合したことを特徴とする請求項１に記載の車体前部構造。
【請求項３】
前記カウルカバーを二色成形し、少なくとも前記クリップを挿通させる貫通孔の周囲を他の部位より柔軟な材質で構成したことを特徴とする請求項２に記載の車体前部構造。
【請求項４】
前記貫通孔の周囲を含む起立壁部の先端側を他の部位より柔軟な材質で構成したことを特徴とする請求項３に記載の車体前部構造。
【発明の詳細な説明】
【技術分野】
【０００１】
本発明は、カウルカバーおよびカウルトップエクステンションパネルを含む車体前部構造に関する。
【背景技術】
【０００２】
従来のこの種の構造として、特許文献１に開示されるものが知られている。特許文献１では、カウルカバー（カウルパネル）の前端には、前方に張り出すフランジ部を設ける一方、その下方に位置するカウルトップエクステンションパネル（フロントバルクヘッド）の前端には、前側に張り出すフランジ部を設け、これらフランジ部同士を重ね合わせて結合することで、カウルカバーとカウルトップエクステンションパネルとを結合するようにしていた。
【特許文献１】特開２００２−４６６４９号公報
【発明の開示】
【発明が解決しようとする課題】
【０００３】
しかしながら、上記従来技術では、フランジ部を前方に突出させている分、カウルカバーを、エンジンルーム内部品との干渉を避けるべく、より後方に配置せざるをえず、当該カウルカバーの後端部で支持するフロントガラスの前端部をより前方に配置するのが難しくなるという造形（デザイン）上の制約が生じていた。
【０００４】
そこで、本発明は、カウルカバーおよびカウルトップエクステンションパネルを含む車体前部構造において、カウルカバーとカウルトップエクステンションパネルとの結合部構造によるフロントガラス位置の制約を緩和することを目的とする。
【課題を解決するための手段】
【０００５】
本発明にあっては、フロントガラスの前方に配置され、その後端部で当該フロントガラスを支持するカウルカバーと、カウルカバーの下方に配置され、その前部でカウルカバーと結合されるカウルトップエクステンションパネルと、を備える車体前部構造において、カウルカバーに、下方に伸びる垂下壁部を設ける一方、カウルトップエクステンションパネルの前部に縦壁部を形成して、これら垂下壁部と縦壁部とをクリップで結合したことを最も主要な特徴とする。
【発明の効果】
【０００６】
本発明によれば、垂下壁部と縦壁部とを結合するようにしたため、カウルカバーとカウルトップエクステンションパネルとの結合部分における前方突出量が小さくなり、カウルカバーの後端部すなわちフロントガラスの前端部をより前方に配置できるようになって、造形上の制約が緩和される。
【発明を実施するための最良の形態】
【０００７】
以下、本発明の実施形態について図面を参照しながら詳細に説明する。
【０００８】
（第１実施形態）図１は、車体前部構造を側方から見た断面図である。なお、図１中、ＦＲは車両前後方向前方を、ＵＰは車両上方を示す。
【０００９】
カウルカバー（フロントパネル）１は、フロントガラス５の前方で、車幅方向に沿って横架されており、フロントガラス５とフードパネル７との隙間を塞ぐように設けられる。このカウルカバー１は、上方で多少の凹凸を持って形成される上壁部１ａと、上壁部１ａの後端部に設けられてフロントガラス５の下端縁を狭持するフロントガラス支持部１ｂと、上壁部１ａの前部から略水平方向に前方に伸びる前壁部１ｃと、上壁部１ａの前部から下方に垂下する垂下壁部１ｄと、垂下壁部１ｄの下端部から上方かつ前方に伸びる起立壁部１ｅとを備える。前壁部１ｃは、その上面に設けられたシールストリップ８を介してフードパネル７を下方から支持している。
【００１０】
カウルトップエクステンションパネル（フロントバルクヘッド）２は、カウルカバー１の下方で、下方に凹む断面形状を備えて車幅方向に沿って横架されており、その前部がカウルカバー１に結合される一方、その後壁部は、ダッシュアッパパネル３の上部および下部にそれぞれ結合されて閉断面を形成している。また、その後壁部の上端部は、クッション６を介してフロントガラス５の下端部を下方から支持している。なお、ダッシュアッパパネル３の下方にはダッシュロワパネル４が連設されている。
【００１１】
そして、本実施形態では、カウルカバー１の起立壁部１ｅを、カウルトップエクステンションパネル２の前側の縦壁部２ａの後方に隣接配置して、これら縦壁部２ａと起立壁部１ｅとをクリップ９を用いて結合している。具体的には、縦壁部２ａに形成した貫通孔２ｂおよび起立壁部１ｅに形成した貫通孔１ｆに、前方からクリップ９を嵌挿し、クリップ９の頭部９ａとクリップ９の先端側の張出爪部９ｂとで、これら縦壁部２ａおよび起立壁部１ｅを狭持している。
【００１２】
上記構成によれば、相互に結合される縦壁部２ａおよび起立壁部１ｅともに、上下方向に伸びているため、当該結合部分における前方突出量をより小さくすることができる。このため、カウルカバー１をエンジンルーム側により近付けて（すなわちより車両前後方向前方に）配置できるようになり、もって、フロントガラス５をより前側に配置することが可能になる。
【００１３】
また、車両前面衝突時等には、フードパネル７やカウルカバー１の上面に衝突した物体から、当該結合部分に下向きの荷重が作用する場合があるが、上記構成によれば、この荷重の方向（すなわち下向き）は、これら縦壁部２ａと起立壁部１ｅとが重なり合う方向ではなく、相互にずれる方向になるため、物体に対する反力を比較的低く抑えることができる。
【００１４】
そして、上記構成では、前方に張り出したフランジ部同士で結合する場合に比べて、結合位置がより後方となることに加えて、さらに、垂下壁部１ｄを後方に屈曲させ、縦壁部２ａと起立壁部１ｅとの結合位置と、カウルカバー１によるフードパネル７の支持位置（シールストリップ８の位置）との距離を前後方向に長くとっている。このため、フードパネル７の上面に衝突した物体から作用した下向きの荷重による、縦壁部２ａと起立壁部１ｅとの結合部分に加わるモーメントが大きくなって、この部分の結合が解除されやすくなり、もって、物体に対する反力をさらに低く抑えることができる。
【００１５】
さらに、上記構成では、垂下壁部１ｄに対して起立壁部１ｅを僅かに前傾させて、起立壁部１ｅの先端部を垂下壁部１ｄの後面に接触（押圧）させ、面接触の場合に比べて当該起立壁部１ｅと縦壁部２ａとの接触面圧を高めている。よって、この部分のシール性能が高まり、エンジンルーム内の臭気が車室内側に侵入するのを抑制することができる。
【００１６】
さらにまた、上記構成では、クリップ９を用いて縦壁部２ａと起立壁部１ｅとを結合したため、クリップ９の形状や材質等によって、クリップ９の抜け荷重や剪断荷重を設定することにより、支持反力の設定自由度を増大することができるという利点もある。
【００１７】
（第２実施形態）図２は、本実施形態にかかる車体前部構造を側方から見た断面を一部拡大して示す図である。なお、本実施形態にかかる車体前部構造は、上記第１実施形態と同様の構成要素を有している。よって、それら構成要素については同じ符号を付与するとともに、重複する説明を省略する。
【００１８】
本実施形態では、カウルカバー１を二色成形し、少なくともクリップ９を挿通させる貫通孔１ｆの周囲を他の部位より柔軟な（シール性の高い）材質で構成したものである。具体的には、貫通孔１ｆの周囲を含む起立壁部１ｅの先端側部分１ｇを他の部位（樹脂）より柔軟な樹脂で構成している。これにより、貫通孔１ｆおよび起立壁部１ｅと縦壁部２ａとの当接部分におけるシール性を高め、エンジンルーム内の臭気が車室内側に侵入するのをさらに抑制することができる。
【００１９】
以上、本発明の好適な実施形態について説明したが、本発明は上記実施形態には限定されず、種々の変形が可能である。例えば、二色成形において、垂下壁部の一部まで柔軟な材質としてもよいし、さらにカウルトップエクステンションパネルの縦壁部（特に貫通孔の周囲を含む部分）を二色成形してもよい。
【図面の簡単な説明】
【００２０】
【図１】本発明の第１実施形態にかかる車体前部構造を側方から見た断面図。
【図２】本発明の第１実施形態にかかる車体前部構造を側方から見た断面を一部拡大して示す図。
【符号の説明】
【００２１】
１  カウルカバー
１ｄ  垂下壁部
１ｅ  起立壁部
１ｆ  貫通孔
２  カウルトップエクステンションパネル
２ａ  縦壁部
５  フロントガラス
９  クリップ
【図１】
2006248405.tif 000003
【図２】
2006248405.tif 000004